(57)【要約】【課題】不在時であっても、運転動作を選択する煩わしさから利用者をできる限り解放することができる空気調和機を提供する。【解決手段】空気調和機は、少なくとも室温センサ４５、湿度センサ４６および人感センサ３８を含むセンサ群と、センサ群４５、４６、３８に接続される制御回路５３とを備え、制御回路５３は、冷媒の循環方向の変更を伴わない特定の機能を実行する運転動作を複数記憶させた運転動作記憶手段５４ａと、センサ群で取得されたパラメータに基づき複数の運転動作のうち少なくとも一つを人が存在する場合に実行する運転動作選択手段５３ｃと、複数の運転動作の優先度を判定する判定手段５３ｄとを有する。【選択図】図３
2019178811.tif 000002
【特許請求の範囲】
【請求項１】
少なくとも室温センサ、湿度センサおよび人が存在するか否かを検出する人感センサを含むセンサ群と、
前記センサ群に接続される制御回路と
を備え、
前記制御回路は、冷媒の循環方向の変更を伴わない特定の機能を実行する運転動作を複数記憶させた運転動作記憶手段と、前記センサ群で取得されたパラメータに基づき前記複数の運転動作のうち少なくとも一つを人が存在する場合に実行する運転動作選択手段と、前記運転動作選択手段が実行する運転動作の優先度を判定する判定手段とを有することを特徴とする空気調和機。
【請求項２】
請求項１に記載の空気調和機において、前記制御回路は、
優先度に従って、前記パラメータに基づき選択された運転動作を実行する自動モード実行手段と、
操作ユニットから出力される選択信号に基づき選択された運転動作を実行する個別選択モード実行手段と、
除湿機能に関わる複数の運転動作の実行または不実行を判定するための条件を含む第１データと、運転開始時に特有の運転動作の実行または不実行を判定するための条件を含む第２データと、人の不存在時に特有の運転動作の実行または不実行を判定するための条件を含む第３データとを保持する記憶手段とを備える
ことを特徴とする空気調和機。
【請求項３】
請求項２に記載の空気調和機において、前記記憶手段は、決められた時刻に室外機の発生音を低減する運転動作の実行または不実行を判定するための条件を含む第４データを保持することを特徴とする空気調和機。
【発明の詳細な説明】
【技術分野】
【０００１】
本発明は、少なくとも室温センサ、湿度センサおよび人感センサを含むセンサ群と、センサ群が接続される制御回路とを備える空気調和機に関する。
【背景技術】
【０００２】
特許文献１は、通常の温度調整運転に加えて、フィルタ清掃機能、熱交換器を乾燥させる内部乾燥機能、換気機能、空気清浄機能および酸素富化機能を有する空気調和機を開示する。空気調和機は、人が存在するか否かを検知する人体検知センサ（人感センサ）を備える。人体検知センサの動作に基づき不在が確認されると、空気調和機は、通常運転よりも少ない消費電力の省電力運転を実施する。省電力運転中にフィルタ清掃、内部乾燥運転、換気運転、空気清浄運転および酸素富化運転は実行される。フィルタ清掃、内部乾燥運転、換気運転、空気清浄運転および酸素富化運転が行われることによって運転音が増大しても、利用者は在室していないので不快感を持たずに済む。
【先行技術文献】
【特許文献】
【０００３】
【特許文献１】特開２００８−２２４１３２号公報
【発明の概要】
【発明が解決しようとする課題】
【０００４】
特許文献１に開示されるように、空気の汚れを検出する汚れセンサの出力に応じて空気清浄運転は実行され、室内の酸素濃度を検出する酸素濃度検出センサの出力に応じて酸素富化運転は実行される。しかしながら、特許文献１では、人の不在時のみ空気清浄運転や酸素富化運転が選択されており、在室時の快適性を向上する機能を活用できていない。
【０００５】
本発明は、在室時であっても快適性を向上する機能を自動で実行することで、運転動作を選択する煩わしさから利用者をできる限り解放することができる空気調和機を提供することを目的とする。
【課題を解決するための手段】
【０００６】
本発明の一形態は、少なくとも室温センサ、湿度センサおよび人が存在するか否かを検出する人感センサを含むセンサ群と、前記センサ群に接続される制御回路とを備え、前記制御回路は、冷媒の循環方向の変更を伴わない特定の機能を実行する運転動作を複数記憶させた運転動作記憶手段と、前記センサ群で取得されたパラメータに基づき前記複数の運転動作のうち少なくとも一つを人が存在する場合に実行する運転動作選択手段と、前記運転動作選択手段が実行する運転動作の優先度を判定する判定手段 とを有する空気調和機に関する。
【０００７】
利用者の在室時に複数の機能の開始条件が競合しても、優先度に応じて最適な機能が選択される。利用者は、運転動作を選択する操作に煩わされることはない。
【０００８】
前記制御回路は、優先度に従って、前記パラメータに基づき選択された運転動作を実行する自動モード実行手段と、操作ユニットから出力される選択信号に基づき選択された運転動作を実行する個別選択モード実行手段と、除湿機能に関わる複数の運転動作の実行または不実行を判定するための条件を含む第１データと、運転開始時に特有の運転動作の実行または不実行を判定するための条件を含む第２データと、人の不存在時に特有の運転動作の実行または不実行を判定するための条件を含む第３データとを保持する記憶手段とを備えてもよい。
【０００９】
自動モードでは、センサ群で取得されたパラメータに基づき環境に応じて最適な運転動作は選択される。空気調和機の利用者が操作ユニットを通じて予め設定しておかなければならない運転動作であっても、第１データ、第２データおよび第３データに基づき自動的に選択され、実行されることができる。その一方で、個別選択モードの実行にあたって、空気調和機の利用者は個別に、除湿機能の種類、運転開始時に特有の機能の実行または不実行、および、人不在時に特有の機能の実行または不実行を設定することができる。自動モードを行わない場合には、利用者の好みに応じて特定の運転動作は実行されることができる。
【００１０】
前記記憶回路は、決められた時刻に室外機の発生音を低減する運転動作の実行または不実行を判定するための条件を含む第４データを保持してもよい。個別選択モードの実行にあたって、空気調和機の利用者は個別に、室外機の発生音を低減する機能の実行または不実行を設定することができる。
【発明の効果】
【００１１】
以上のように開示の空気調和機によれば、運転動作を選択する煩わしさから利用者をできる限り解放することができる。
【図面の簡単な説明】
【００１２】
【図１】本発明による電気機器の一実施形態に係る空気調和機の構成を概略的に示す概念図である。
【図２】室内機およびリモコン（拡大）の外観を概略的に示す正面図である。
【図３】室内機およびリモコンの制御系を概略的に示すブロック図である。
【図４】制御回路の処理を概略的に示すフローチャートである。
【発明を実施するための形態】
【００１３】
以下、添付図面を参照しつつ本発明の一実施形態を説明する。
【００１４】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。室内機１２には室内熱交換器１４が組み込まれる。室外機１３には圧縮機１５、室外熱交換器１６、膨張弁１７および四方弁１８が組み込まれる。室外機１３は、室外空気との熱交換が可能な屋外に設置されればよい。室内熱交換器１４、圧縮機１５、室外熱交換器１６、膨張弁１７および四方弁１８は冷凍回路１９を形成する。
【００１５】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１６】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーを交換する。室内熱交換器１４は、通過する冷媒と周囲の空気との間で熱エネルギーを交換する。第２循環経路２２は例えば銅管などの冷媒配管で形成されればよい。
【００１７】
室外機１３には送風ファン２３が組み込まれる。送風ファン２３は室外熱交換器１６に通風する。送風ファン２３は例えば羽根車の回転に応じて気流を生成する。送風ファン２３の働きで気流は室外熱交換器１６を通り抜ける。室外の空気は室外熱交換器１６を通り抜け冷媒と熱交換する。熱交換された冷気または暖気の気流は室外機１３から吹き出される。通り抜ける気流の流量は羽根車の回転数に応じて調整される。
【００１８】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００１９】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流れる。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２０】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流れる。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２１】
（２）室内機の構成
図２に示されるように、室内機１２は筐体２６を備える。筐体２６の底板２７には吹出口２８が形成される。吹出口２８は室内に向けて開口される。吹出口２８は、室内熱交換器１４で生成される冷気または暖気の気流を吹き出す。底板２７は筐体２６の下面を形成する。
【００２２】
室内機１２は、水平な床面と、所定の高さで床面に向き合って床面に平行に広がる天井と、床面および天井の間で鉛直方向に広がる壁面とを備える室内空間に配置される。室内機１２は、天井に近い位置で壁面に設置されればよい。
【００２３】
吹出口２８には例えば１枚の上下風向板２９が配置される。上下風向板２９は、室内機１２が設置される部屋の床面に平行な水平軸線回りに回転することができる。回転に応じて上下風向板２９は吹出口２８を開閉することができる。上下風向板２９の角度に応じて、吹き出される気流の方向が変えられる。
【００２４】
筐体２６の天板３１には吸込口３２が形成される。室内熱交換器１４に流入する空気は吸込口３２から取り込まれる。筐体２６には天板３１の下方で室内熱交換器１４の前方に複数のエアフィルタ（図示されず）が着脱自在に装着される。
【００２５】
室内機１２は、筐体２６に組み込まれるセンサモジュール３３を備える。センサモジュール３３は、筐体２６の外面に露出するセンサケース３５を有する。センサケース３５は、吹出口２８から外れた位置で筐体２６の外面となる底板２７に設けられる。センサケース３５の外表面３６には窓孔３７が区画される。窓孔３７には、センサケース３５内に収容される赤外線センサ３８が臨む。赤外線センサ３８は、室内空間で物体からの輻射熱を検知し、床面および壁面の少なくとも一方を複数の区画に分割して検出を行い温度分布を特定する温度分布信号を生成する。赤外線センサ３８は、室内で人の在不在を検出する人感センサとして機能するだけでなく、床面および壁面の温度（輻射温度）を検出する温度センサとして機能する。
【００２６】
空気調和機１１は、室内空間に配置されて、室内機１２に操作信号を送るリモコン（操作ユニット）４１を備える。リモコン４１は、筐体４２の表面に埋め込まれる操作ボタン群４３およびディスプレイパネル４４を備える。操作ボタン群４３は、「メニュー」ボタン４３ａ、「決定」ボタン４３ｂ、「自動」ボタン４３ｃ、「冷房」ボタン４３ｄ、「暖房」ボタン４３ｅ、「除湿」ボタン４３ｆ、「停止」ボタン４３ｇといった操作ボタンを含む。個々の操作ボタンが操作されると、個々の操作ボタン４３ａ〜４３ｇに固有の電気信号が出力される。ディスプレイパネル４４には、「自動」「冷房」「暖房」「除湿」「送風」といった運転動作の種類や設定温度が表示されるほか、「メニュー」ボタンの操作に応じてメニューリスト（アイコン）が表示される。メニューリストに表示される選択肢の中から「決定」ボタン４３ｂで選択することで、利用者が動作の実行または不実行を決定する運転動作が選択される。
【００２７】
メニューリストの選択肢として表示される複数の運転動作は、自動モードおよび個別選択モードで実行される運転動作である四方弁の切り替えを伴わない特定の機能として、「省エネモード」、「除湿機能の切り替え」、「急速運転モード」、「低騒音モード」を有していればよい。
【００２８】
「省エネモード」とは、人の不存在時に特有の運転動作であって、人が不在となった場合に空気調和機１１の運転を停止あるいは省電力運転とする機能である。
【００２９】
「除湿機能の切り替え」とは、室内熱交換器１４の半分で放熱を実施し残り半分で吸熱を実施することで室温の低下を抑えて除湿を行う再熱除湿機能と、室内機１２の送風ファン２４の回転数を小さくして冷房運転を実施するいわゆる弱冷房除湿機能とを、目標温度や目標湿度に応じて切り替える機能である。
【００３０】
「急速運転モード」とは、運転開始時に特有の運転動作であって、運転開始時に設定温度と室温との差が一定以上ある場合、急速運転モードがＯＮになっていない場合の運転時に使用する圧縮機と送風機の回転数よりも、圧縮機と送風機の回転数を大きくすることで、室温を早く設定温度に近づけることを目的とした機能である。
【００３１】
「低騒音モード」とは、夜間の圧縮機の回転数および室外送風機の回転数を、低騒音モードがＯＮになっていない場合の運転時に使用する圧縮機と室外送風機の回転数よりも低く抑え、室外機から発生する騒音を低減するための機能である。
【００３２】
図３に示されるように、リモコン４１は、室温センサ４５、湿度センサ４６および時計回路４７を備える。室温センサ４５は室内の室温を計測する。室温センサ４５は、計測した室温を特定する室温信号を生成し出力する。湿度センサ４６は室内の湿度を計測する。湿度センサ４６は、計測した湿度を特定する湿度信号を生成し出力する。時計回路４７は、時刻を特定する時刻信号を生成し出力する。
【００３３】
リモコン４１は信号処理回路４８を備える。信号処理回路４８には送信回路４９が接続される。送信回路４９は、信号処理回路４８の信号処理で生成された指令信号を室内機１２に向けて送信する。信号処理回路４８には、操作ボタン群４３の各操作ボタン４３ａ〜４３ｇ、室温センサ４５、湿度センサ４６および時計回路４７が接続される。信号処理回路４８には、各操作ボタン４３ａ〜４３ｇに固有の電気信号、室温センサ４５の室温信号、湿度センサ４６の湿度信号および時計回路４７の時刻信号が入力される。操作ボタン４３ａ〜４３ｇに固有の電気信号、室温信号、湿度信号、時刻信号は送信回路４９から室内機１２に向けて発信される。
【００３４】
リモコン４１では信号処理回路４８に描画回路５１が接続される。描画回路５１にはディスプレイパネル４４が接続される。描画回路５１は、信号処理回路４８の信号処理で生成される描画信号に基づきディスプレイパネル４４の画面上に画像を表示する。
【００３５】
室内機１２は、受信回路５２に接続される制御回路５３を備える。制御回路５３は、リモコン４１から出力される選択信号に基づき選択された機能をオンオフする個別選択モード実行手段５３ａと、室温センサ４５、湿度センサ４６、時計回路４７および赤外線センサ３８で取得されたパラメータに基づき、第２循環経路２２で冷媒の循環方向の変更を伴わない特定の機能を実行する複数の運転動作のうち少なくとも一つを人が存在する場合に実行する運転動作選択手段５３ｃと、運転動作選択手段５３ｃが実行する運転動作の優先度を判定する判定手段５３ｄと、運転動作選択手段５３ｃが実行する運転動作を優先度に従った順序で実行する自動モード実行手段５３ｂとを含む。
【００３６】
受信回路５２は、リモコン４１の送信回路４９から送信される操作ボタン４３ａ〜４３ｇに固有の電気信号や室温信号、湿度信号、時刻信号を受信し制御回路５３に供給する。こうして制御回路５３には、室内機１２に設置の赤外線センサ３８に加えて、室温センサ４５、湿度センサ４６および時計回路４７といったセンサ群が接続される。
【００３７】
制御回路５３は、図示しない情報処理回路および記憶回路５４を含む。記憶回路５４には、冷媒の循環方向の変更を伴わない特定の機能を実行する運転動作を複数記憶させた運転動作記憶手段５４ａと、データ記憶手段５４ｂとが含まれる。運動動作記憶手段５４ａには、四方弁の切り替えを伴わない特定の機能（「省エネモード」、「除湿機能の切り替え」、「急速運転モード」、「低騒音モード」）をオンオフする個別選択モードプログラム５６と、室温信号、湿度信号、時刻信号および温度分布信号といったパラメータに基づき選択された運転動作（四方弁の切り替えを伴わない特定の機能）の優先度を判定し、判定された優先度に従って、四方弁の切り替えを伴わない特定の機能の実行または不実行を制御する自動モードプログラム５５とが格納される。データ記憶手段５４ｂには、除湿機能に関わる複数の運転動作の実行または不実行を判定するための条件を含む第１データ５７と、運転開始時に特有の運転動作の実行または不実行を判定するための条件を含む第２データ５８と、人の不存在時に特有の運転動作の実行または不実行を判定するための条件を含む第３データ５９と、決められた時刻に室外機１３の発生音を低減する運転動作の実行または不実行を判定するための条件を含む第４データ６１とが保持される。制御回路５３は、自動モードプログラム５５、個別選択モードプログラム５６、第１データ５７、第２データ５８、第３データ５９および第４データ６１に基づき、室内機１２の送風ファン２４の動作、圧縮機１５の動作、膨張弁１７の開き度、四方弁１８の切り替え、室外機１３の送風ファン２３の動作を制御する。
【００３８】
（３）空気調和機の動作
次に空気調和機１１の動作を説明する。制御回路５３の自動モード実行手段５３ｂは、自動モードの実行を指示する指令信号を受信すると、自動モードプログラム５５に基づき、センサ群４５、４６、４７、３８で取得された複数のパラメータに応じて運転動作選択手段５３ｃが選択した運転動作を優先度に応じて実行する。パラメータには室温、湿度、時刻、人の在不在、床面の輻射温度および壁面の輻射温度が含まれる。室温は室温信号で特定される。湿度は湿度信号で特定される。時刻は時刻信号で特定される。人の在不在、床面の輻射温度および壁面の輻射温度は温度分布信号に基づき特定される。ここでは、運転動作の実行にあたって、制御回路５３は判定手段５３ｄにより、後述されるように、特定の機能を実現する複数の運転動作の優先度を判定する。指令信号はリモコン４１の送信回路４９から送信される。利用者は、「自動」ボタン４３ｃの操作に基づき自動モードを選択することができる。利用者の選択操作に応じてリモコン４１の信号処理回路４８は指令信号を生成する。
【００３９】
制御回路５３の個別選択モード実行手段５３ａは、四方弁の切り替えを伴わない特定の機能（「省エネモード」、「除湿機能の切り替え」、「急速運転モード」、「低騒音モード」）のオンオフをそれぞれ指示する指令信号を受信すると、個別選択モードプログラム５６に基づき、四方弁の切り替えを伴わない特定の機能のそれぞれ実行または不実行を設定する。制御回路５３は、冷房運転、除湿運転、送風運転および暖房運転をそれぞれ指示する指令信号を受信すると、設定温度を維持するように、圧縮機１５の動作や膨張弁１７の開き度、室外機１６の送風ファン２３の動作を制御する。
【００４０】
判定手段５３ｄは、複数の運転動作の優先度を判定するにあたって、個別選択モードプログラム５６でオンに設定された回数に応じて機能の優先順位を上げればよい。これは、利用者の好みを運転内容に反映させる事に繋がる。
また「省エネモード」よりも、「除湿機能の切り替え」あるいは「急速運転モード」の優先順位を上にすればよい。これは、空調機を省電力とする機能よりも空調能力の向上を行う機能を優先した方が、快適性の向上に繋がるためである。
後述の、いわゆるニューラルネットワークが構築される情報処理回路を用いても良い。その学習機能に基づき、利用時間が増加するほど優先度の判定は高精度に確立されていく。
【００４１】
図４に示されるように、自動モードプログラム５５が実行されると、制御回路５３は、ステップＳ１で、センサ群４５、４６、４７、３８から室温信号、湿度信号、時刻信号および温度分布信号を取得する。制御回路５３は、ステップＳ２で、予め決められた時間が経過したか否かを判定する。予め決められた時間は、各種センサの検出が安定するまでの時間であればよい。予め決められた時間が経過していれば、制御回路５３は、ステップＳ３で、取得した室温、湿度、時刻、人の在不在、床面の輻射温度および壁面の輻射温度に基づき、予め決められた室内環境の判定基準に従って室内環境を数値化する。数値化された室内環境は、記憶回路５４に記憶されればよい。
【００４２】
予め決められた室内環境の判定基準に従った数値化では、例えば、在室者がいれば「１」が設定され、室内に人が不在であれば「０」が設定される。時刻が夜間帯（例えば午後１１時〜朝７時）であれば「１」が設定され、それ以外の時間帯であれば「０」が設定される。室温と設定温度との差が大きければ（例えば温度差が５度を超えれば）「１」が設定され、それ以外であれば「０」が設定される。湿度が決められた値よりも高ければ（例えば相対湿度６５％を超えれば）「１」が設定され、それ以外であれば「０」が設定される。設定温度と床面温度との差が大きければ（例えば温度差が５度を超えれば）「１」が設定され、それ以外であれば「０」が設定される。
【００４３】
制御回路５３ではセンサ群４５、４６、４７、３８で取得された複数のパラメータに応じて個々の室内環境が特定される。室内環境の特定にあたって情報処理回路は用いられる。情報処理回路では、いわゆるニューラルネットワークが構築され、その学習機能に基づき、利用時間が増加するほど室内環境の特定は高精度に確立されていく。制御回路５３は、ステップＳ４で、センサ群４５、４６、４７、３８から取得された室温信号、湿度信号、時刻信号および温度分布信号に基づき特定の室内環境を選択する。
【００４４】
制御回路５３は、ステップＳ５で、パラメータに基づき選択された室内環境に応じた運転動作を実施する。例えば、冷房運転時に予め決められた値（例えば相対湿度６５％）よりも湿度が高いと、制御回路５３はステップＳ４で「蒸し暑い」室内環境を認識する。この「蒸し暑い」室内環境では、制御回路５３は冷房運転から除湿運転に運転動作を切り替える。冷房運転時に壁面の輻射温度が予め決められた温度（例えば摂氏３４度）よりも高いと、制御回路５３はステップＳ４で「輻射熱」室内環境を認識する。この「輻射熱」室内環境では、制御回路５３は壁面に向かって冷気を吹き出し、壁面からの輻射熱の影響を除去する運転動作を実行する。冷房運転時に室内に利用者の不在が確認されると、制御回路５３はステップＳ４で「節電冷房」室内環境を認識する。この「節電冷房」室内環境では制御回路５３は予め決められた温度（例えば２度）だけ高めに室内温度を設定し節電を優先する運転動作を実行する。
【００４５】
暖房運転時に床面の輻射温度が予め決められた温度（例えば摂氏１６度）よりも低いと、制御回路５３はステップＳ４で「輻射冷え」室内環境を認識する。この「輻射冷え」室内環境では、制御回路５３は床面に向かって暖気を吹き出し、床面からの輻射熱の影響を除去する運転動作を実行する。暖房運転時に室内に利用者の不在が確認されると、制御回路５３はステップＳ４で「節電暖房」室内環境を認識する。この「節電暖房」室内環境では制御回路５３は予め決められた温度（例えば２度）だけ低めに室内温度を設定し節電を優先する運転動作を実行する。暖房運転の開始にあたって夜間帯の時刻が確認されると、制御回路５３はステップＳ４で「静寂」室内環境を認識する。この「静寂」室内環境では、制御回路５３は、圧縮機１５で控えめの動作を実行し室外機１３の発生音を低減する運転動作を確立する。
【００４６】
情報処理回路の学習機能に基づき、室内環境に紐付けられる運転動作は高精度に特定されていく。こうしてステップＳ４およびＳ５では、パラメータに基づき１つの室内環境が特定され、その１つの室内環境に紐付けられた運転動作が実行されるので、複数の機能の開始条件が競合しても、優先度に応じて最適な機能は選択される。利用者は、運転動作を選択する操作に煩わされることはない。
【００４７】
ステップＳ６で、制御回路５３は、利用者からの指示により四方弁の切り替えを伴わない特定の機能のオンオフをそれぞれ指示する指令信号を受信すると、ステップＳ７で自動モードプログラム５５の実行を中止する。特定の機能のオンオフ信号に基づき、個別選択モードプログラム５６で実行される機能が設定される。
【００４８】
空気調和機１１の利用者はリモコン４１の「機能設定」操作で機能を選択することができる。例えば第１データ５７では「再熱除湿」または「弱冷房除湿」のいずれかが特定される。利用者はメニューリストから「再熱除湿」または「弱冷房除湿」を選択し「決定」ボタン４３ｂを操作する。第１データ５７には、再熱除湿が選択されれば「０」が書き込まれ、弱冷房除湿が選択されれば「１」が書き込まれる。再熱除湿が設定されると、制御回路５３は、室内熱交換器１４の半分で放熱を実施し残り半分で吸熱を実施する。こうして室温の低下を伴わずに除湿は実現される。弱冷房除湿が設定されると、制御回路５３は設定温度に対して弱めの冷房運転を実施する。こうして室温の低下を抑制しながら除湿は実現される。
【００４９】
第２データ５８では急速な暖房の「実行」または「不実行」のいずれかが特定される。利用者はメニューリストから「実行」または「不実行」を選択し「決定」ボタン４３ｂを操作する。第２データ５８には、実行が選択されれば「０」が書き込まれ、不実行が選択されれば「１」が書き込まれる。急速な暖房の実行が選択されると、暖房運転の開始時に設定温度が上げられ急速な暖房が実行される。室内は迅速に暖められる。運転開始時に特有の運転動作である。 
【００５０】
第３データ５９では人が不在時の節電運転の「実行」または「不実行」のいずれかが特定される。利用者はメニューリストから「実行」または「不実行」を選択し「決定」ボタン４３ｂを操作する。第３データ５９には、実行が選択されれば「０」が書き込まれ、不実行が選択されれば「１」が書き込まれる。不在時の節電運転の実行が選択されると、人の不在の検出に応じて冷房運転時の設定温度は上げられ暖房運転時の設定温度は下げられる。こうして不在時には消費電力の低減が図られる。人の不存在時に特有の運転動作である。 
【００５１】
第４データ６１では、決められた時刻に室外機１３から発生する騒音を低減する運転動作の「実行」または「不実行」のいずれかが特定される。利用者はメニューリストから「実行」または「不実行」を選択し「決定」ボタン４３ｂを操作する。第４データ６１には、実行が選択されれば「０」が書き込まれ、不実行が選択されれば「１」が書き込まれる。室外機１３から発生する騒音を低減する運転動作が実行されると、制御回路５３は室外機１３で圧縮機１５の動作や送風ファン２３の動作を抑制する。
【００５２】
本実施形態に係る自動モードプログラム５５が実行されると、制御回路５３は、センサ群４５、４６、４７、３８で取得された室温、湿度、時刻、人の在不在、床面の輻射温度および壁面の輻射温度（これらパラメータ）に基づき環境に応じて最適な運転動作を選択する。空気調和機１１の利用者が操作ユニット４１を通じて予め設定しておかなければならない運転動作であっても、判定手段５３ｄにより判定された優先度に基づき自動的に選択され、実行される。その一方で、個別選択モードプログラム５６の実行にあたって、空気調和機１１の利用者は個別に、除湿機能の種類、運転開始時に特有の機能の実行または不実行、人不在時に特有の機能の実行または不実行、および、室外機１３の発生音を低減する機能の実行または不実行を設定することができる。自動モードを行わない場合には、利用者の好みに応じて特定の運転動作は実行されることができる。
【符号の説明】
【００５３】
１１…空気調和機、３８…人感センサとしての赤外線センサ、４５…室温センサ、４６…湿度センサ、５３…制御回路、５３ａ…個別選択モード実行手段、５３ｂ…自動モード実行手段、５３ｃ…運転動作選択手段、５３ｄ…判定手段、５４…記憶回路、５４ａ…運転動作記憶手段、５７…第１データ、５８…第２データ、５９…第３データ、６１…第４データ。
【図１】
2019178811.tif 000003
【図２】
2019178811.tif 000004
【図３】
2019178811.tif 000005
【図４】
2019178811.tif 000006